(57)【要約】【課題】 イヤホンコードが絡まないようにするイヤホン用アクセサリを提供する。【解決手段】イヤホン用アクセサリ１０は、切れ目１１ａが入れられた屈曲可能な蛇腹状筒体１１と、蛇腹状筒体１１の長手方向に沿って配設された可撓性金属線１２と、蛇腹状筒体１１および可撓性金属線１２を被覆し、イヤホンコードを収納可能な切れ目１３ａが入れられたスポンジ状筒体１３とからなる。イヤホン用アクセサリ１０は、切れ目１０ａ（１１ａ，１３ａ）からイヤホンコードを蛇腹状筒体１１内に収納するように、イヤホンコードに取り付けられる。【選択図】図１
2009194790.tif 000002
【特許請求の範囲】
【請求項１】
イヤホンコードを収納可能な切れ目が入れられた屈曲可能な蛇腹状筒体と、前記蛇腹状筒体の長手方向に沿って配設された可撓性金属線と、前記蛇腹状筒体および前記可撓性金属線を被覆し、イヤホンコードを収納可能な切れ目が入れられたスポンジ状筒体とからなることを特徴とするイヤホン用アクセサリ。
【請求項２】
イヤホンコードを収納可能な切れ目が入れられたスポンジ状筒体と、前記スポンジ状筒体の内壁面ないしは内壁内に長手方向に沿って配設された可撓性金属線とからなることを特徴とするイヤホン用アクセサリ。
【請求項３】
イヤホンコードを覆うように収納可能とする切れ目が入れられた可撓性筒体でなることを特徴とするイヤホン用アクセサリ。
【発明の詳細な説明】
【技術分野】
【０００１】
本発明はイヤホン用アクセサリに関し、特にイヤホンコードの絡みを防止するイヤホン用アクセサリに関する。
【背景技術】
【０００２】
ステレオヘッドホンは、一般的に、音楽等を聴くときに左右の耳で立体的に聴けるように１本のプラグコードが左右一対のイヤホンコードに分岐された構造を備えている。しかし、ステレオヘッドホンを使用しないときにバッグやポケット等に入れて持ち運ぶ場合、左右に分岐されたイヤホンコードが細い上に先端にイヤホンを有するために、人の歩行動作の振動等の影響を受けてイヤホンが複雑に運動する結果、イヤホンコード同士が絡み付いて大変面倒であった。そこで、従来から様々な工夫がなされていた。
【０００３】
ステレオヘッドホンのイヤホンコードの絡み防止のための従来の技術としては、例えば、一対のイヤホンやイヤホンコードを任意な箇所で接続固定するものがあった（例えば、特許文献１，２参照）。
【０００４】
また、一対のイヤホンやイヤホンコードをケースに収納するものがあった（例えば、特許文献３，４参照）。
【０００５】
さらに、一対のイヤホンコードに細工を施して一体的にまとめることができるようにしたものがあった（例えば、特許文献５〜７参照）。
【特許文献１】特開平９−３０７９８１号公報（図１参照）
【特許文献２】実用新案登録第３０１４４０７号公報（図１参照）
【特許文献３】特開２００６−３４５４６９号公報（図２参照）
【特許文献４】特開平１０−２９７８３６号公報（図１参照）
【特許文献５】特開平１０−３０８９９２号公報（図３参照）
【特許文献６】特開２０００−１０２０８６号公報（図２参照）
【特許文献７】特開２００４−０５６６３６号公報（図３参照）
【発明の開示】
【発明が解決しようとする課題】
【０００６】
しかし、従来の技術では、一対のイヤホンやイヤホンコードを任意な箇所で接続固定するものの場合、狭い面積で一部の箇所で接続固定するものは多少絡み難くはなるが、一旦絡むと極めて複雑に絡む結果を招き、完全に防止することは不可能であった。
【０００７】
また、一対のイヤホンやイヤホンコードをケースに収納するものの場合、容器が嵩張り不便であるばかりか、ケースの内部でイヤホンコードが度々引っ掛かり、慎重に引出さなければ細いイヤホンコードが断線する支障が度々あった。
【０００８】
さらに、一対のイヤホンコードに細工を施して一体的にまとめることができるようにしたものの場合、ステレオヘッドホン自体が特殊なものとなり、汎用品として安価に製造および販売することができないという問題点があった。
【０００９】
本発明の目的は、上述の点に鑑み、イヤホンコードに取り付けて、イヤホンコードが絡まないようにするイヤホン用アクセサリを提供することにある。
【課題を解決するための手段】
【００１０】
請求項１に記載のイヤホン用アクセサリは、イヤホンコードを収納可能な切れ目が入れられた屈曲可能な蛇腹状筒体と、前記蛇腹状筒体の長手方向に沿って配設された可撓性金属線と、前記蛇腹状筒体および前記可撓性金属線を被覆し、イヤホンコードを収納可能な切れ目が入れられたスポンジ状筒体とからなることを特徴とする。請求項１に記載のイヤホン用アクセサリによれば、イヤホンコードを切れ目から蛇腹状筒体内に収納するようにイヤホン用アクセサリをイヤホンコードに取り付けるようにしたことにより、運搬時の運動がどんなに激しくてもイヤホンコードの絡み合いを未然に防止することができる。また、可撓性金属線によって蛇腹状筒体を任意の位置で屈曲した状態で保持できるようにしたので、イヤホン用アクセサリを視聴者の顔に沿って邪魔にならないように配置することができる。さらに、スポンジ状筒体に任意の着色を施すことができ、イヤホン用アクセサリのファッション性を高めることができる。また、スポンジ状筒体本体の素材やスポンジ状筒体を被覆する素材を汗を吸収しやすい素材とすることで、運動時のイヤホンコードに直接汗が付着することを防ぎ、清潔感を保つことが可能になるとともに、汗を吸収しやすい素材によってイヤホンコードを電気的および物理的に保護することができる。加えて、イヤホン用アクセサリは、一般に市販されているイヤホンに自由に取り付けることができ、また不必要であれば何時でも取り外すことができる。
【００１１】
請求項２に記載のイヤホン用アクセサリは、イヤホンコードを収納可能な切れ目が入れられたスポンジ状筒体と、前記スポンジ状筒体の内壁面ないしは内壁内に長手方向に沿って配設された可撓性金属線とからなることを特徴とする。請求項２に記載のイヤホン用アクセサリによれば、イヤホンコードを切れ目からスポンジ状筒体内に収納するようにイヤホン用アクセサリをイヤホンコードに取り付けるようにしたことにより、運搬時の運動がどんなに激しくてもイヤホンコードの絡み合いを未然に防止することができる。また、可撓性金属線によってスポンジ状筒体を任意の位置で屈曲した状態で保持できるようにしたので、イヤホン用アクセサリを視聴者の顔に沿って邪魔にならないように配置することができる。さらに、スポンジ状筒体に任意の着色を施すことができ、イヤホン用アクセサリのファッション性を高めることができる。また、スポンジ状筒体本体の素材やスポンジ状筒体を被覆する素材を汗を吸収しやすい素材とすることで、運動時のイヤホンコードに直接汗が付着することを防ぎ、清潔感を保つことが可能になるとともに、汗を吸収しやすい素材によってイヤホンコードを電気的および物理的に保護することができる。加えて、イヤホン用アクセサリは、一般に市販されているイヤホンに自由に取り付けることができ、また不必要であれば何時でも取り外すことができる。
【００１２】
請求項３に記載のイヤホン用アクセサリは、イヤホンコードを覆うように収納可能とする切れ目が入れられた可撓性筒体でなることを特徴とする。請求項３に記載のイヤホン用アクセサリによれば、イヤホンコードを切れ目から可撓性筒体内に収納するようにイヤホン用アクセサリをイヤホンコードに取り付けるようにしたことにより、運搬時の運動がどんなに激しくてもイヤホンコードの絡み合いを未然に防止することができる。さらに、可撓性筒体に任意の着色を施すことができ、イヤホン用アクセサリのファッション性を高めることができる。また、可撓性筒体本体の素材や可撓性筒体を被覆する素材を汗を吸収しやすい素材とすることで、運動時のイヤホンコードに直接汗が付着することを防ぎ、清潔感を保つことが可能になるとともに、汗を吸収しやすい素材によって電気的および物理的にイヤホンコードを保護することができる。加えて、イヤホン用アクセサリは、一般に市販されているイヤホンに自由に取り付けることができ、また不必要であれば何時でも取り外すことができる。
【発明を実施するための最良の形態】
【００１３】
イヤホンコードが絡まないようにするという目的を、切れ目が入れられた可撓性筒体でなるイヤホン用アクセサリにイヤホンコードを収納するようにイヤホン用アクセサリをイヤホンコードに取り付けることにより達成した。
【００１４】
以下、本発明の実施の形態について図面を参照しながら詳しく説明する。
【実施例１】
【００１５】
図１（ａ），（ｂ）および（ｃ）は、本発明の実施例１に係るイヤホン用アクセサリ１０を示す側面図，断面図，および要部拡大断面図である。本実施例１に係るイヤホン用アクセサリ１０は、携帯用プレーヤ等の音声再生装置（図示せず）に接続して使用されるステレオヘッドホン１の左右一対のイヤホンコード４，４（図２参照）にそれぞれ取り付けられて使用されるようになっている。なお、図２中では、左右のイヤホンコード４，４の双方にイヤホン用アクセサリ１０，１０をそれぞれ取り付けるように図示したが、左右のイヤホンコード４，４のいずれか一方にのみイヤホン用アクセサリ１０を取り付けるようにしてもよい。
【００１６】
ステレオヘッドホン１は、図２に示すイヤホン用アクセサリ１０，１０を除いた構成になっている。すなわち、ステレオヘッドホン１は、音声再生装置（図示せず）の音声出力ジャックに嵌合接続するプラグ２と、プラグ２に接続されたプラグコード３と、プラグコード３の適宜な箇所から分岐された左右一対のイヤホンコード４，４と、イヤホンコード４，４の先端にそれぞれ接続された左右一対のイヤホン５，５とから構成されている。
【００１７】
イヤホン用アクセサリ１０は、図１（ａ），（ｂ）および（ｃ）に示すように、ステレオヘッドホン１のイヤホンコード４を収納可能な切れ目１１ａが入れられた屈曲可能な蛇腹状筒体１１と、蛇腹状筒体１１の長手方向に沿って配設された可撓性金属線１２と、蛇腹状筒体１１および可撓性金属線１２を被覆し、ステレオヘッドホン１のイヤホンコード４を収納可能な切れ目１３ａが入れられたスポンジ状筒体１３とから構成されている。イヤホン用アクセサリ１０の長さは、図２に示すように、イヤホンコード４にイヤホン用アクセサリ１０を装着した状態でイヤホン用アクセサリ１０がみだりに上下に移動しないようにするために、イヤホンコード４の長さよりやや短い程度が望ましい。したがって、イヤホン用アクセサリ１０がみだりに上下に移動しない限りにおいて、イヤホン用アクセサリ１０の短いものを複数組み合わせての利用も可能である。
【００１８】
蛇腹状筒体１１は、ポリプロピレン等の合成樹脂で、蛇腹状の筒体で形成され、任意の位置で屈曲させることが可能である。蛇腹状筒体１１の周壁には、ステレオヘッドホン１のイヤホンコード４を収納可能とする切れ目１１ａが入れられている。この切れ目１１ａは、蛇腹状筒体１１の両端開口を繋ぐように螺旋状に形成されている。なお、切れ目１１ａは、ジグザグ状もしくは直線状であってもよい。切れ目１１ａは、ステレオヘッドホン１のイヤホンコード４を蛇腹状筒体１１内に収納する際には手で押し開けられるが、収納後は蛇腹状筒体１１の復元弾力によって自動的に閉じられる。
【００１９】
可撓性金属線１２は、銅等の可撓性を有する金属線で形成され、蛇腹状筒体１１が屈曲された状態を保持するために、図１（ｂ）に示すように、蛇腹状筒体１１の外周面の長手方向に沿って配設されている。なお、可撓性金属線１２は、蛇腹状筒体１１および／またはスポンジ状筒体１３の素材に応じて屈曲された状態を保持するために、複数本配設されることもある。
【００２０】
スポンジ状筒体１３は、ゴム，ウレタン等の合成樹脂でスポンジ（フォームともいう）状の筒体で形成され、任意の形状に変形可能である。なお、本実施例１では、スポンジ状筒体１３の断面形状を円環状としているが、三角環状，四角環状，六角環状等の多角環状とすることもできる。スポンジ状筒体１３の周壁には、ステレオヘッドホン１のイヤホンコード４を収納可能とする切れ目１３ａが入れられている。この切れ目１３ａは、スポンジ状筒体１３の両端開口を繋ぐように螺旋状に形成されている。なお、切れ目１３ａは、ジグザグ状もしくは直線状であってもよい。切れ目１３ａは、ステレオヘッドホン１のイヤホンコード４をスポンジ状筒体１３内に収納する際には手で押し開けられるが、収納後はスポンジ状筒体１３の復元弾力によって自動的に閉じられる。スポンジ状筒体１３の内周面は、可撓性金属線１２を包み込むように、蛇腹状筒体１１の外周面に接着剤で接着されている。この接着状態では、イヤホンコード４を容易に収納するために、スポンジ状筒体１３の切れ目１３ａと蛇腹状筒体１１の切れ目１１ａとが一致した切れ目１０ａとなっている。スポンジ状筒体１３は、摩擦抵抗が小さくイヤホンコード４との接地面が滑りやすい素材が望ましい。さらに、スポンジ状筒体１３は、図２に示すように、視聴者の耳から顎にかけての顔に沿って配置されて使用されるものであるので、必要に応じて汗等を吸収する吸湿性を有するものとしてもよい。また、スポンジ状筒体１３は、鮮やかな色としてファッション性を高めるために、任意の色彩に着色可能である。
【００２１】
次に、このように構成された本実施例１に係るイヤホン用アクセサリ１０の使用方法について説明する。
【００２２】
プラグコード３から一対のイヤホンコード４，４に分割される直近の箇所からイヤホン５，５の直前までのイヤホンコード４，４をイヤホン用アクセサリ１０，１０を収納するように、イヤホン用アクセサリ１０，１０をイヤホンコード４，４に取り付ける。
【００２３】
次に、ステレオヘッドホン１の使用時には、図２に示すように、視聴者は、左右のイヤホン５，５を左右の耳にそれぞれ挿入する。すると、イヤホン用アクセサリ１０，１０は、視聴者の顔の側面に位置する。視聴者は、自分の顔に合わせて、イヤホン用アクセサリ１０，１０の屈曲状態を調整する。調整した状態では、イヤホン用アクセサリ１０，１０は、外周面がスポンジ状筒体１３，１３であるので、視聴者の顔に触れても違和感はほとんど生じない。
【００２４】
ステレオヘッドホン１の不使用時には、イヤホンコード４，４にイヤホン用アクセサリ１０，１０を取り付けたままカバンやポケットに収納して運搬する。絡みやすい一対のイヤホンコード４，４にイヤホン用アクセサリ１０，１０が取り付けられているため、それぞれのイヤホンコード４，４の勝手な運動が完璧に防止されて絡み付かなくなる。
【００２５】
実施例１によれば、ステレオヘッドホン１のイヤホンコード４を切れ目１０ａから蛇腹状筒体１１内に収納するようにイヤホン用アクセサリ１０をイヤホンコード４に取り付けるようにしたことにより、運搬時の運動がどんなに激しくてもイヤホンコード４の絡み合いを未然に防止することができる。また、可撓性金属線１２によって蛇腹状筒体１１を任意の位置で屈曲した状態で保持できるようにしたので、イヤホン用アクセサリ１０を視聴者の顔に沿って邪魔にならないように配置することができる。さらに、スポンジ状筒体１３に任意の着色を施すことができ、イヤホン用アクセサリ１０のファッション性を高めることができる。また、スポンジ状筒体１３本体の素材やスポンジ状筒体１３を被覆する素材を汗を吸収しやすい素材とすることで、運動時のイヤホンコード４に直接汗が付着することを防ぎ、清潔感を保つことが可能になるとともに、汗を吸収しやすい素材によってイヤホンコード４を電気的および物理的に保護することができる。加えて、イヤホン用アクセサリ１０は、一般に市販されているステレオヘッドホン１に自由に取り付けることができ、また不必要であれば何時でも取り外すことができる。
【実施例２】
【００２６】
図３（ａ），（ｂ）および（ｃ）は、本発明の実施例２に係るイヤホン用アクセサリ２０を示す側面図，断面図，および要部拡大断面図である。本実施例２に係るイヤホン用アクセサリ２０も、携帯用プレーヤ等の音声再生装置（図示せず）に接続して使用されるステレオヘッドホン１の左右一対のイヤホンコード４，４（図２参照）にそれぞれ取り付けられて使用されるようになっている。
【００２７】
可撓性金属線２２は、銅等の可撓性を有する金属線で形成され、スポンジ状筒体２３が屈曲された状態を保持するために、図３（ｂ）に示すように、スポンジ状筒体２３の周壁内に長手方向に沿って配設されている。なお、可撓性金属線２２は、スポンジ状筒体２３の素材に応じて屈曲された状態を保持するために、複数本配設されることもある。
【００２８】
スポンジ状筒体２３は、ゴム，ウレタン等の合成樹脂でスポンジ（フォームともいう）状の筒体で形成され、任意の形状に変形可能である。なお、本実施例１では、スポンジ状筒体２３の断面形状を円環状としているが、三角環状，四角環状，六角環状等の多角環状とすることもできる。スポンジ状筒体２３の周壁には、ステレオヘッドホン１のイヤホンコード４を収納可能とする切れ目２０ａが入れられている。この切れ目２０ａは、スポンジ状筒体２３の両端開口を繋ぐように直線状に形成されている。なお、切れ目２０ａは、直線状でなく、ジグザグ状もしくは螺旋状であってもよい。切れ目２０ａは、ステレオヘッドホン１のイヤホンコード４をスポンジ状筒体２３内に収納する際には手で押し開けられるが、収納後はスポンジ状筒体２３の復元弾力によって自動的に閉じられる。スポンジ状筒体２３は、摩擦抵抗が小さくイヤホンコード４との接地面が滑りやすい素材が望ましい。さらに、スポンジ状筒体２３は、図２に示すように、視聴者の耳から顎にかけての顔に沿って配置されて使用されるものであるので、必要に応じて汗等を吸収する吸湿性を有するものとしてもよい。また、スポンジ状筒体２３は、鮮やかな色としてファッション性を高めるために、任意の色彩に着色可能である。
【００２９】
このように構成された実施例２に係るイヤホン用アクセサリ２０によれば、ステレオヘッドホン１のイヤホンコード４を切れ目２０ａからスポンジ状筒体２３内に収納するようにイヤホン用アクセサリ２０をイヤホンコード４に取り付けるようにしたことにより、運搬時の運動がどんなに激しくてもイヤホンコード４の絡み合いを未然に防止することができる。また、可撓性金属線２２によってスポンジ状筒体２３を任意の位置で屈曲した状態で保持できるようにしたので、イヤホン用アクセサリ２０を視聴者の顔に沿って邪魔にならないように配置することができる。さらに、スポンジ状筒体２３に任意の着色を施すことができ、イヤホン用アクセサリ２０のファッション性を高めることができる。また、スポンジ状筒体２３本体の素材やスポンジ状筒体２３を被覆する素材を汗を吸収しやすい素材とすることで、運動時のイヤホンコード４に直接汗が付着することを防ぎ、清潔感を保つことが可能になるとともに、汗を吸収しやすい素材によってイヤホンコード４を電気的および物理的に保護することができる。加えて、イヤホン用アクセサリ２０は、一般に市販されているステレオヘッドホン１に自由に取り付けることができ、また不必要であれば何時でも取り外すことができる。
【００３０】
ところで、図２中では、左右のイヤホンコード４，４の長さが同じステレオヘッドホン１を図示したが、図４に示すように、プラグコード４３から分岐した長さが異なる左右のイヤホンコード４４ａ，４４ｂの先端に左右のイヤホン４５ａ，４５ｂがそれぞれ接続されたステレオヘッドホン４０でも、左右のイヤホンコード４４ａ，４４ｂに長さまたは数が異なる実施例１，２に係るイヤホン用アクセサリ１０，２０を同様に取り付けて使用することができる。このようにしても、実施例１，２に係るイヤホン用アクセサリ１０，２０によって同様な効果を得ることができることはいうまでもない。
【００３１】
また、図５に示すように、プラグコード５３が左のイヤホン５５ａに直接接続され、左のイヤホン５５ａから右のイヤホンコード５４ｂが引き出されて先端に右のイヤホン５５ｂが接続されたステレオヘッドホン５０でも、右のイヤホンコード５４ｂに実施例１，２に係るイヤホン用アクセサリ１０，２０を同様に取り付けて使用することができる。このようにしても、実施例１，２に係るイヤホン用アクセサリ１０，２０によって同様な効果を得ることができることはいうまでもない。
【００３２】
さらに、実施例１，２に係るイヤホン用アクセサリ１０，２０は、図６に示すように、モノラルイヤホン６０のイヤホンコード６２に取り付けて使用することもできる。詳しくは、モノラルイヤホン６０は、音声再生装置（図示せず）の音声出力ジャックに嵌合接続するプラグ６１と、プラグ６１に接続されたイヤホンコード６２と、イヤホンコード６２の先端に接続されたイヤホン６３とから構成されており、イヤホン用アクセサリ１０，２０は、イヤホンコード６２に取り付けられる。このようにしても、モノラルイヤホン６０のイヤホンコード６２の絡みが有効に防止されることはいうまでもない。
【００３３】
さらにまた、実施例１，２に係るイヤホン用アクセサリ１０，２０は、図７に示すように、ピンマイク等の小型マイクロホン７０のマイクロホンコード７２に取り付けて使用することもできる。詳しくは、小型マイクロホン７０は、音声入力装置（図示せず）の音声入力ジャックに嵌合接続するプラグ７１と、プラグ７１に接続されたマイクロホンコード７２と、マイクロホンコード７２の先端に接続されたマイク７３とから構成されており、イヤホン用アクセサリ１０，２０は、マイクロホンコード７２に取り付けられる。このようにしても、小型マイクロホン７０のマイクロホンコード７２の絡みが有効に防止されることはいうまでもない。
【００３４】
以上、本発明の各実施例について説明したが、これらはあくまでも例示にすぎず、本発明はこれらに限定されるものではなく、特許請求の範囲の趣旨を逸脱しない限りにおいて、当業者の知識に基づく種々の変更が可能である。
【００３５】
例えば、上記実施例１，２では、イヤホン用アクセサリ１０，２０の屈曲状態を保持するために可撓性金属線１２，２２を配設するようにしたが、スポンジ状筒体１３，２３自体がある程度の可撓性を有するものであれば、可撓性金属線１２，２２を省略して、イヤホン用アクセサリを可撓性筒体そのものとすることができる。この場合も、可撓性筒体の断面形状は、円環状，三角環状，四角環状，六角環状等のさまざまな形状とすることができる。
【図面の簡単な説明】
【００３６】
【図１】（ａ）は、本発明の実施例１に係るイヤホン用アクセサリを示す側面図、（ｂ）は断面図、および（ｃ）は要部拡大断面図。
【図２】本実施例１に係るイヤホン用アクセサリの使用状態を示す図。
【図３】（ａ）は、本発明の実施例２に係るイヤホン用アクセサリを示す側面図、（ｂ）は断面図、および（ｃ）は要部拡大断面図。
【図４】実施例１，２に係るイヤホン用アクセサリを左右のイヤホンコードの長さが異なるステレオイヤホンに取り付けて使用する状態を示す図。
【図５】実施例１，２に係るイヤホン用アクセサリを左のイヤホンから右のイヤホンコードが引き出されたステレオイヤホンに取り付けて使用する状態を示す図。
【図６】実施例１，２に係るイヤホン用アクセサリをモノラルイヤホンのイヤホンコードに取り付けて使用する状態を示す図。
【図７】実施例１，２に係るイヤホン用アクセサリを小型マイクロホンのマイクロホンコードに取り付けて使用する状態を示す図。
【符号の説明】
【００３７】
１  ステレオヘッドホン
２  プラグ
３  プラグコード
４，４  イヤホンコード
５，５  イヤホン
１０，２０  イヤホン用アクセサリ
１０ａ，２０ａ  切れ目
１１  蛇腹状筒体
１１ａ  切れ目
１２，２２  可撓性金属線
１３，２３  スポンジ状筒体
１３ａ  切れ目
４０  ステレオヘッドホン
４３  プラグコード
４４ａ  左のイヤホンコード
４４ｂ  右のイヤホンコード
４５ａ  左のイヤホン
４５ｂ  右のイヤホン
５０  ステレオヘッドホン
５３  プラグコード
５４ｂ  右のイヤホンコード
５５ｂ  右のイヤホン
５５ａ  左のイヤホン
６０  モノラルイヤホン
６１  プラグ
６２  イヤホンコード
６３  イヤホン
７０  小型マイクロホン
７１  プラグ
７２  マイクロホンコード
７３  マイク
【図１】
2009194790.tif 000003
【図２】
2009194790.tif 000004
【図３】
2009194790.tif 000005
【図４】
2009194790.tif 000006
【図５】
2009194790.tif 000007
【図６】
2009194790.tif 000008
【図７】
2009194790.tif 000009